(57)【要約】片持ち式のロール交換用の材料ロールを供給するための接着バンドであって、接着バンドが担体バンドを有しており、該担体バンドの上面に少なくとも１つの接着ストリップが配置されており且つ当該担体バンドの下面に少なくとも１つの別の接着ゾーンが形成されており、該接着ゾーンが、分離紙によって互いに分離された少なくとも２つの接着ストリップを有している形式のものにおいて、担体バンドの下面の一部に、更に付加的に少なくとも１つの接着ストリップが分離紙無しで配置されていることを特徴とする、材料ロールのウェブ始端部を結合するための接着手段並びに所属の方法。
2004521047.tif 000002
【特許請求の範囲】
【請求項１】
片持ち式のロール交換用の材料ロールを供給するための接着バンドであって、接着バンドが担体バンド（０５）を有しており、該担体バンドの上面に少なくとも１つの接着ストリップ（０３）が配置されており且つ当該担体バンドの下面に少なくとも１つの別の接着ゾーン（０８）が形成されており、該接着ゾーン（０８）が、分離紙（０４）によって互いに分離された少なくとも２つの接着ストリップ（０９，１０）を有している形式のものにおいて、
担体バンド（０５）の下面の一部に、更に付加的に少なくとも１つの接着ストリップ（０２）が分離紙無しで配置されていることを特徴とする、材料ロールのウェブ始端部を結合するための接着手段。
【請求項２】
接着ストリップ（０２）が単層で形成されている、請求項１記載の接着バンド。
【請求項３】
接着ストリップ（０２）がギャップ（０７）によって接着ゾーン（０８）から隔てられている、請求項１記載の接着バンド。
【請求項４】
複数の接着ストリップ（０２）が複数のギャップ（０７）によって接着ゾーン（０８）から隔てられている、請求項１記載の接着バンド。
【請求項５】
接着手段（０１）によって、材料ロール（１３）の第１の材料ウェブ（１５）のウェブ始端部（１１）を材料ロール（１３）の第２の材料層（１２）に結合するための方法であって、接着手段（０１）に担体バンド（０５）を設け、該担体バンドの上面に少なくとも１つの接着ストリップ（０３）を配置し且つ当該担体バンドの下面に少なくとも１つの別の接着ゾーン（０８）を形成し、該接着ゾーン（０８）に、分離紙（０４）によって互いに分離された少なくとも２つの接着ストリップ（０９，１０）を設け、接着ゾーン（０８）を材料ロール（１３）の第２の材料層（１２）に結合する形式のものにおいて、
担体バンド（０５）を、別の接着ストリップ（０２）によって、第１の材料ウェブ（１５）のウェブ始端部（１１）の上面に結合することを特徴とする、材料ロールのウェブ始端部を結合するための方法。
【請求項６】
接着手段（０１）によって、材料ロール（１３）の第１の材料ウェブ（１５）のウェブ始端部（１１）を別の材料ロールの別の材料ウェブに結合するための方法であって、接着手段（０１）に担体バンド（０５）を設け、該担体バンドの上面に少なくとも１つの接着ストリップ（０３）を配置し且つ当該担体バンドの下面に少なくとも１つの別の接着ゾーン（０８）を形成し、該接着ゾーン（０８）を、材料ロール（１３）の第２の材料層（１２）に結合し、担体バンド（０５）を、別の接着ストリップ（０２）によって第１の材料ウェブ（１５）のウェブ始端部（１１）の上面に結合する形式のものにおいて、
接着ゾーン（０８）に、分離紙（０４）によって互いに分離された少なくとも２つの接着ストリップ（０９，１０）を設けることを特徴とする、材料ロールのウェブ始端部を結合するための方法。
【発明の詳細な説明】
【技術分野】
【０００１】
本発明は、請求項１、５又は６の上位概念に記載の形式の材料ロールのウェブ始端部を結合するための接着手段及び方法に関する。
【０００２】
ヨーロッパ特許第１０２２２４５号明細書には、片持ち式のロール交換のための接着手段が開示されており、この場合、接着箇所は目標破断箇所を有している。
【０００３】
ドイツ連邦共和国特許出願公開第１９８３０６７４号明細書には片持ち式のロール交換のための接着手段が開示されており、この場合、接着箇所の２つの縁部域が各１つの目標破断箇所を有している。
【０００４】
国際公開第９８／５２８５７号パンフレットに基づき、材料ウェブの接着箇所供給法が公知である。更に、この刊行物に基づき、前記方法を実施するための様々な装置が公知である。前記の公知の方法では、新たなペーパーウェブのウェブ始端部を検出して、例えば接着ラベル等の接着手段がウェブ始端部の切断縁部にわたって張り出して外面に取り付けられるように、ペーパーガイド装置へガイドする。次いで、ペーパーウェブをペーパーロールに巻き戻し、これにより、ウェブ始端部において切断縁部にわたって張り出した接着手段がペーパーロールの周面に接触し、このようにして、ウェブ始端部を周面に位置固定する。つまり結果的に、この公知の方法ではペーパーロールの接着箇所を供給するために、接着手段がウェブ始端部の切断縁部を覆っている。
【０００５】
ドイツ連邦共和国特許出願公開第４３３９３０９号明細書、ドイツ連邦共和国実用新案第２９６２１８７９号明細書及びドイツ連邦共和国特許出願公開第１９８３０６７３号明細書には、片持ち式のロール交換のための材料ロールを供給するための接着手段が記載されており、この場合、担体バンドは、一方の接着ゾーンを以てウェブ始端部の上面と結合され、他方の接着ゾーンはロールの第２の材料層と結合され、担体バンドの外面は繰り出されるウェブと結合される。
【０００６】
ドイツ連邦共和国特許出願公開第４０３３９００号明細書の接着ストリップでは、該接着ストリップの分離は担体バンドの接着ゾーンと接着ストリップの接着ゾーンとの間で行われる。第２の層に配置された、２つの接着ストリップ間の接着箇所の間の分離は規定されていない。
【０００７】
本発明の課題は、材料ロールのウェブ始端部を結合するための接着手段及び方法を提供することである。
【０００８】
この課題は、本発明では請求項１，５，６の特徴部に記載の構成手段によって解決される。
【０００９】
本発明によって得られる利点は特に、接着手段が、新たな材料ロールの周面にウェブ始端部を位置固定するために切断縁部を上方から覆っており延いては簡単に供給されるという点にある。
【００１０】
２つの接着ストリップをその結合ゾーン内で分離することにより、部材を切断又は裂断する必要無しで、規定された目標破断位置が形成される。従って、繰り出される材料ウェブへの接着中に、新たな材料ロールの周面からウェブ始端部を引き出す場合、ウェブ始端部を位置固定するための接着手段を分断する必要はなく、このためには例えば接着手段に穿孔部を設けなくてはならない。ウェブ始端部はむしろ、新たな材料ロールの周面から簡単に引き出すことができ、この場合、引出し力の大きさは、少なくとも新たな材料ロールの周面とウェブ始端部との間の接着手段の保持力を克服するように選択する必要がある。この方法は、例えばボディ平面に沿って分離可能な接着バンド等の接着手段を使用した場合に特に有利である。ウェブ始端部を引き出すと、接着手段が分割平面内で分離され、これにより、一方の部分はウェブ始端部に取り込まれ、他方の部分はウェブ周面に残留する。個別のラベルは不要なので、連続した接着が可能である。
【００１１】
以下に、本発明の実施例を図面につき詳しく説明する。
【００１２】
本発明の方法を実施するためには、図１に概略的な横断面で示したような、接着バンドの形式で形成された接着手段０１を用いることができる。
【００１３】
この接着手段０１は担体バンド０５を有しており、この担体バンド０５は、接着手段０１に機械的な剛性を与え且つ引張力を伝達することができる。
【００１４】
担体バンド０５の上面には接着ストリップ０３が設けられており、この接着ストリップ０３は担体バンド０５上に適当な接着剤を供給することによって形成され且つカバーストリップ０６によって保護されている。
【００１５】
担体バンド０５の下面にも、やはり接着ストリップ０２と別の接着ゾーン０８とが位置している。この接着ゾーン０８は、分離紙０４によって互いに分離された少なくとも２つの接着ストリップ０９，１０を有している。接着ストリップ０２は単層で、分離紙０４無しで形成されている。
【００１６】
担体バンド０５の下面に位置する２つの接着箇所０２；０８は、ギャップ０７によって互いに分離されていてよい。
【００１７】
担体バンドの下面に、複数のギャップ０７によって互いに分離された複数の単層の接着箇所０２を供給することも考えられる。
【００１８】
本発明の方法を実施する際の接着手段０１の使用が図２に概略的に示されている。
【００１９】
図２で認識されるように、ウェブ始端部１１と周面１２，つまり第２の材料層１２に接する接着手段０１は、例えばペーパーロール１３等の新たな材料ロール１３に手で、又は適当な機械的な把持部材を使用して供給される。
【００２０】
このためには、例えばウェブ始端部１１を加工テーブルに面状に置き、ウェブ始端部１１を正確な切断エッジの形成下で材料ロール１３の回転軸線に対して平行に又は傾けて切断する。更に、第１の接着ストリップ０２をウェブ始端部１１の切断縁部に沿って合致させて載着することにより、接着手段０１を位置固定する。第２の接着ストリップ０３は、この加工段階ではまだカバーストリップ０６によってカバーされている。
【００２１】
例えばペーパーウェブ１５等の材料ウェブ１５のウェブ始端部１１に接着手段０１を位置固定した後で、材料ローラ１３を運動矢印１６の方向で巻き戻す。
【００２２】
この場合、ウェブ始端部１１若しくは接着手段０１は、ペーパーガイドローラの形式で形成された圧着部材（図示せず）によって、材料ロール１３の周面１２に対して押圧される。接着手段０１の接着ゾーン０８が、新たな材料ロール１３の周面１２の領域に到達するので、接着ゾーン０８と周面１２とが接触することにより、ウェブ始端部１１は周面１２に位置固定される。次いで、カバーストリップ０６が接着ストリップ０３から除去される。これにより、新たな材料ロール１３における接着箇所が完全に供給されている。
【００２３】
新たな材料ロール１３をロール交換機（図示せず）に取り付けた後、接着ストリップ０３を別の材料ウェブに圧着することにより、ウェブ始端部１１は交換しようとする材料ウェブに結合される。
【００２４】
次いで、新たな材料ロール１３の周面からウェブ始端部１１を引き出すと、接着ゾーン０８が接着ストリップ０９，１０間の分離紙０４に沿って分離されるので、接着手段０１は、材料ウェブ１２に接着ゾーン０８を位置固定した後で、接着ストリップ９，１０間の分離に基づき分離される。
【図面の簡単な説明】
【００２５】
【図１】材料ロールの接着箇所を供給するために適した接着手段の横断面図。
【００２６】
【図２】接着箇所供給中の加工段階が概略的な側面図。
【符号の説明】
【００２７】
０１  接着手段、  ０２，０３  接着ストリップ、  ０４  分離紙、  ０５  担体バンド、  ０６  カバーストリップ、  ０７  ギャップ、  ０８  接着ゾーン、  ０９，１０  接着ストリップ、  １１  ウェブ始端部、  １２  周面、  １３  材料ロール、  １５  ペーパーウェブ、  １６  運動方向
【国際公開パンフレット】
2004521047.tif 000003
2004521047.tif 000004
2004521047.tif 000005
2004521047.tif 000006
2004521047.tif 000007
2004521047.tif 000008
2004521047.tif 000009
2004521047.tif 000010
2004521047.tif 000011
2004521047.tif 000012
2004521047.tif 000013
【国際公開パンフレット（コレクトバージョン）】
2004521047.tif 000014
2004521047.tif 000015
【手続補正書】
【提出日】平成15年9月30日(2003.9.30)
【手続補正１】
【補正対象書類名】特許請求の範囲
【補正対象項目名】全文
【補正方法】変更
【補正の内容】
【特許請求の範囲】
【請求項１】
片持ち式のロール交換用の材料ロールを供給するための接着バンドであって、該接着バンドが担体バンド（０５）を有しており、該担体バンドの上面に少なくとも１つの接着ストリップ（０３）が配置されており且つ当該担体バンドの下面に少なくとも１つの別の接着ゾーン（０８）が形成されており、該接着ゾーン（０８）が、分離紙（０４）によって互いに分離された少なくとも２つの接着ストリップ（０９，１０）を有している形式のものにおいて、
担体バンド（０５）の下面の一部に、更に付加的に少なくとも１つの接着ストリップ（０２）が分離紙無しで配置されており、該接着ストリップ（０２）がギャップ（０７）によって接着ゾーン（０８）から隔てられていることを特徴とする、材料ロールのウェブ始端部を結合するための接着手段。
【請求項２】
接着ストリップ（０２）が単層で形成されている、請求項１記載の接着バンド。
【請求項３】
複数の接着ストリップ（０２）が複数のギャップ（０７）によって接着ゾーン（０８）から隔てられている、請求項１記載の接着バンド。
【請求項４】
接着手段（０１）によって、材料ロール（１３）の第１の材料ウェブ（１５）のウェブ始端部（１１）を材料ロール（１３）の第２の材料層（１２）に結合するための方法であって、接着手段（０１）に担体バンド（０５）を設け、該担体バンドの上面に少なくとも１つの接着ストリップ（０３）を配置し且つ当該担体バンドの下面に少なくとも１つの別の接着ゾーン（０８）を形成し、該接着ゾーン（０８）に、分離紙（０４）によって互いに分離された少なくとも２つの接着ストリップ（０９，１０）を設け、接着ゾーン（０８）を材料ロール（１３）の第２の材料層（１２）に結合する形式のものにおいて、
担体バンド（０５）を、別の接着ストリップ（０２）によって第１の材料ウェブ（１５）のウェブ始端部（１１）の上面に結合することを特徴とする、材料ロールのウェブ始端部を結合するための方法。
【請求項５】
接着手段（０１）によって、材料ロール（１３）の第１の材料ウェブ（１５）のウェブ始端部（１１）を別の材料ロールの別の材料ウェブに結合するための方法であって、接着手段（０１）に担体バンド（０５）を設け、該担体バンドの上面に少なくとも１つの接着ストリップ（０３）を配置し且つ当該担体バンドの下面に少なくとも１つの別の接着ゾーン（０８）を形成し、該接着ゾーン（０８）を、材料ロール（１３）の第２の材料層（１２）に結合し、担体バンド（０５）を、別の接着ストリップ（０２）によって第１の材料ウェブ（１５）のウェブ始端部（１１）の上面に結合する形式のものにおいて、
接着ゾーン（０８）に、分離紙（０４）によって互いに分離された少なくとも２つの接着ストリップ（０９，１０）を設け、接着ストリップ（０２）と接着ゾーン（０８）とがギャップ（０７）によって互いに隔てられていることを特徴とする、材料ロールのウェブ始端部を結合するための方法。
【国際調査報告】
2004521047.tif 000016
2004521047.tif 000017
2004521047.tif 000018
2004521047.tif 000019